(57)【要約】      （修正有）【課題】使用者の枕を従来通り使用しその良さはそのまま享受しながら、仰向け状態時と横向き状態時とに対応して厚さが自動的に変化する、枕の下に敷いて使用する枕敷きマットを提供する。【解決手段】使用者が仰向け状態か横向き状態かを使用者の肩や背中や脇腹部分が接触している面積の相違で検出する機能を備え、検出された姿勢に応じて横向き状態なら空気供給ポンプより送出された空気を構成された空気の経路を通し枕敷きマット１０内部に空気を充満させ、マットの上に乗った使用者の枕７０とそこに乗った使用者の頭部を適度な位置まで押し上げる。仰向け状態なら構成された排気経路を通し枕敷きマット１０内の空気を外部に排気して枕敷きマット１０をしぼませてその上に乗る枕７０と頭部を下げる。その事により使用者の良好な睡眠の継続を実現する。【選択図】図３
2011045400.tif 000002
【特許請求の範囲】
【請求項１】
使用者が寝床で横臥して枕を使用している状態において、その枕の下に位置し空気の流入により膨張するか又は排出により収縮してその厚さが変化する枕敷きマット部と、その枕敷きマット部に空気を供給する空気供給手段と、前記使用者が横臥する寝床面の上半身部分の検知領域に位置する圧迫検知チューブに対し圧迫面積の狭い第１の状態時ではチューブからは検知の空気は出さず、圧迫面積の広い第２の状態時はチューブから飽和して排出される検知の空気を送出する圧迫検知手段と、前記圧迫検知チューブから送られてくる空気量を検出要素として使用者の姿勢を識別し枕敷きマットに対する給排気の通路を構成する事と空気供給が必要な時に空気供給ポンプに対して電源を供給する給排気制御手段と、を有する自動厚さ可変枕敷きマット。
【請求項２】
前記枕敷きマット部は、マットが膨張時に枕に係合するように軽いすり鉢状の中央がくぼんだ形としてあり、通気性と柔軟性を持った網目状の形状保持繊維材をマット内部に一定の間隔でマット内面の上部と下部及び側面に膨張時の引っ張り力に耐えるように接続したものを複数設けて、総合してすり鉢状の形を作り出す構成としてある枕敷きマット部を備えた事を特徴とする請求項１に記載の自動厚さ可変枕敷きマット。
【請求項３】
前記空気供給手段は、給排気制御手段より空気供給ポンプに電源が供給された時、外気を吸入して枕敷きマット部に対して空気を供給する空気供給ポンプを有する事を特徴とする請求項１に記載の自動厚さ可変枕敷きマット。
【請求項４】
前記圧迫検知手段は、使用者が枕を使用状態で横たわっている時、使用者の背中、肩、脇腹等との接触する位置に設けてあり圧迫面積の狭い第１の状態時では圧迫検知チューブ内の余裕容積に吸収されて飽和により排出される検知の空気は発生しないが、圧迫面積の広い第２の状態時は圧迫検知チューブ内の余裕容積を超えて飽和して排出される検知の空気が発生し、これが給排気制御手段に送出される事と、圧迫検知チューブの両端を圧迫検知補正チューブで接続する事によりチューブ内のどの位置でも均一の圧力となるようにバイパスして圧迫検知に利用する空気量を姿勢ごとに一定量得る仕組みを備えた事を特徴とする請求項１に記載の自動厚さ可変枕敷きマット。
【請求項５】
前記給排気制御手段は、圧迫検知手段から排出された検知の空気が送出されてきた時、検出ピストンを押しスプリングに逆らってスライドさせ枕敷きマットの空気を外部へ排出するための空気の排出経路を、逆に圧迫検知手段から送出されていた検知の空気が無くなった時は検出ピストンの押しスプリングに押されて検出ピストンがスライドし給気の経路を、このように排気と給気の経路を構成する事と、ピストンに付属したセンサーにより動作の状態を感知され空気供給ポンプに対してタイマーを備えて一定の時間供給と停止の電源制御を行う、以上排気と給気の経路を構成する事と空気供給ポンプに対する電源制御機能を備えた構成である給排気制御部を有する事を特徴とする請求項１に記載の自動厚さ可変枕敷きマット。
【発明の詳細な説明】
【技術分野】
【０００１】
この発明は主に就寝の際に枕の下に敷いて使用する、枕敷きマットに関するものである。
【背景技術】
【０００２】
睡眠時に使用する枕は、大きさと高さ・形状・表面と内部に詰める材質等により睡眠の深さや質に違いをもたらし、特に高齢者や療養者の場合には健康に影響を及ぼす事が知られており、従来より枕の材質・形状に付いて、多くの研究成果が製品化されている。
枕の高さを調節する機能に付いて注目してみると、使用者が手動で空気を出し入れするもの（特許文献１と４参照）、枕内部に機構を組み込んだもの（特許文献２参照）、流体の入る小部屋を集合したもの（特許文献３参照）等が有り、使用者の姿勢を識別して枕の高さを自動的に変えようとしたものに、電気的スイッチ群で検出するもの（特許文献２参照）、沢山のピストン付き密閉袋で検出するもの（特許文献３参照）等が有る。しかしそのどれもが高さの調節できる枕そのものを提供しようとしたものである。
【先行技術文献】
【特許文献】
【０００３】
【特許文献１】特開２０００−０１４５１１
【特許文献２】特開２００１−３４０１９８
【特許文献３】特開２００５−３４２４５７
【特許文献４】特開平０９−２７６１０９
【発明の概要】
【発明が解決しようとする課題】
【０００４】
本発明は、仰向け状態時と横向き状態時とで身体の向きが相違する事により要求される適切な枕の高さが異なり、熟睡が保てない事を解決するため、自動的に枕の高さを変化させる手段を提供する。
先の特許文献で挙げた例のどれもが枕そのものを提案しているが、現在多種多様の枕が存在するのは、人それぞれ快適な睡眠を得るために求める快適さの要素が異なるからではないかと考え、現在すでに使用者の満足を得て日常使用されている枕そのものは尊重してそのまま使用し、その快適さを確保しながらその枕の下に厚さの変えられるマットを敷く事により高さを変える機能を追加して使用される事を目的とし、枕敷きマットを提供する事により課題を解決しようとするものである。            
【課題を解決するための手段】
【０００５】
上記の課題を解決するために、使用者が寝床で横臥し枕を使用している状態において、その枕の下に位置し空気の流入により膨張するか又は排出により収縮してその厚さが変化する枕敷きマット部と、その枕敷きマット部に空気を供給する空気供給手段と、前記使用者が横臥する寝床面の上半身部分の検知領域に位置する圧迫検知チューブに対し、圧迫面積の狭い横向き状態の時を第一の状態とし、この時チューブからは検知の空気は出さず、圧迫面積の広い仰向け状態の時を第２の状態とし、この時チューブから飽和して排出される検知の空気を送出する圧迫検知手段と、前記圧迫検知チューブから送られてくる空気量を検出要素として使用者の姿勢を識別し枕敷きマットに対する給排気の通路を構成する事と空気供給が必要な時に空気供給ポンプに対して電源を供給する給排気制御手段と、を有する自動厚さ可変枕敷きマットである。
【０００６】
前記枕敷きマット部は、マットが膨張時に枕に係合するように軽いすり鉢状の中央がくぼんだ形としてあり、通気性と柔軟性を持った網目状の形状保持繊維材をマット内部に一定の間隔でマット内面の上部と下部及び側面に膨張時の引っ張り力に耐えるように接続したものを複数設けて、総合してすり鉢状の形を作り出す構成としてある枕敷きマット部である。
【０００７】
前記空気供給手段は、給排気制御手段より空気供給ポンプに電源が供給された時、外気を吸入して枕敷きマット部に対して空気を供給する空気供給ポンプを備える。
【０００８】
前記圧迫検知手段は、使用者が枕を使用状態で横たわっている時、使用者の背中、肩、脇腹等との接触する位置に設けてあり圧迫面積の狭い第１の状態時では圧迫検知チューブ内の余裕容積に吸収されて飽和により排出される検知の空気は発生しないが、圧迫面積の広い第２の状態時は圧迫検知チューブ内の余裕容積を超えて飽和して排出される検知の空気が発生し、これが給排気制御部３０に送出される事と、圧迫検知チューブの両端を圧迫検知補正チューブで接続する事によりチューブ内のどの位置でも均一の圧力となるようにバイパスして圧迫検知に利用する空気量を姿勢ごとに一定量得る仕組みを持った圧迫検知部である。
【０００９】
前記給排気制御手段は、圧迫検知手段から排出された検知の空気が送出されてきた時、検出ピストンを押しスプリングに逆らってスライドさせ枕敷きマットの空気を外部へ排出するための空気の排出経路を、逆に圧迫検知手段から送出されていた検知の空気が無くなった時は検出ピストンの押しスプリングに押されて検出ピストンがスライドし給気の経路を、このように排気と給気の経路を構成する事と、ピストンに付属したセンサーにより動作の状態を感知され空気供給ポンプに対してタイマーを備えて一定の時間供給と停止の電源制御を行う、以上排気と給気の経路を構成する事と空気供給ポンプに対する電源制御機能を備えた給排気制御部である。
【発明の効果】
【００１０】
本発明は使用者の日常愛用している枕は従来通り使用する事により枕そのものの快適さをそのまま享受しながら、枕の使用者が睡眠中寝返りを打って横向き状態と仰向け状態のいずれに変わっても、使用者が意識する事無く枕の下に敷いてある枕敷きマットの厚さを自動的に変える事によりその上に乗る枕と使用者の頭を常に好ましい高さに保つ効果を得られる。
本発明は使用者の姿勢の識別を、使用者の身体の肩・背中・脇腹などが寝床に接触している面積の相違を識別して行うので、比較的簡単で確実に識別できる。
さらに姿勢の検出と、枕敷きマットの厚さの調節に空気を使用しているので静かでなめらかな動作が得られ、使用感と違和感を最小限度に留める事ができる仕組みであり使用者の快適な睡眠を助ける。
【図面の簡単な説明】
【００１１】
【図１】本発明の全体構成を示す全体斜視図を示す。
【図２】同実施の形態の全体使用概念平面図を示す。
【図３】同実施の形態の全体使用概念側面図で（ａ）は横向きの図、（ｂ）は仰向けの図を示す。
【図４】枕敷きマット構造図の（ａ）は平面図、（ｂ）は側断面図を示す。
【図５】圧迫検知部構造図の（ａ）は平面図、（ｂ）は側断面図を示す。
【図６】給排気制御部及び空気供給ポンプ部の全体構成図を示す。
【図７】給排気バルブユニットの空気供給動作状態断面図を示す。
【図８】給排気バルブユニットの排気動作状態断面図を示す。
【発明を実施するための形態】
【００１２】
本発明の全体を、図１を用いて説明する。
この自動厚さ可変枕敷きマットは、枕敷きマット部１０、圧迫検知マット部２０、給排気制御部３０及び空気供給ポンプ５０を有する。
圧迫検知マット部２０は圧迫検知チューブ２１と圧迫検知補正チューブ２２を有する。
給排気制御部３０には給排気バルブユニット３１と制御圧力調整部８０と空気供給ポンプ電源制御部４５とを有する。以下これらについて説明する。
【００１３】
図４の枕敷きマット部１０の形状は、空気が充満するマット内面の各所に適度な間隔を持たせて複数の形状保持繊維材１２をその上部と下部及び側面に接続し、内部から引っ張らせて膨張時の枕敷きマットの形状を作り出している。それは図４（ｂ）が示すように枕７０に係合するよう軽いすり鉢状の中央がくぼんだ形にしてあり、上に乗る枕７０の安定を増すと共に脱落を予防する役目を持たせてある。
前項において枕敷きマット部１０の形状は、枕７０と係合して脱落を防止するがさらに枕敷きマット部１０に枕７０と連結する器具を設けて枕７０とのずれを防止する機能を追加して持たせても良い。
【００１４】
図４の枕敷きマット部１０は、上に使用者の枕７０を乗せて使用するが、常時使っている枕７０以外に旅先などでの枕７０の規格サイズに合わせて使用するために、枕敷きマット１０の側面に有る縮小連結具１５を、枕敷きマット１０の下面に織り込んでその先端部分を下面に連結できる構造を持たせて別の一回り小さい規格サイズに合わせて使用できる。
個人差は有るが、身長・性別・年齢などによって好ましい高さはおおよそ推測できる。従って本マットのサイズは数種類用意してあり、その中から予め最適なサイズを選択して使用するのが良い。
【００１５】
図５において、敷き布団２６の上に乗った圧迫検知マット部２０全体をシーツ等２９で覆い被せて使用する事に対応するため、枕敷きマット部１０と圧迫検知マット部２０の関係がずれる事を防止するため、枕敷きマット部連結器具１４と圧迫検知マット部連結器具２７を備え相互の関係を連結固定できる構造である。
【００１６】
圧迫検知部からの情報により、使用者が前記第１の状態すなわち横向きになった事を給排気制御部３０にて識別し、その結果に基づき空気供給ポンプ電源制御部４５からポンプ電源コード４７を介して電源供給を空気供給ポンプ５０が受け、枕マット部へ空気を供給するために起動して空気を送り出す。
空気供給ポンプ５０への電源供給について、使用者が短時間の内に姿勢の変更を反復する事が有るが、それを通常の姿勢変化と同じように空気供給の動作を即時に行うと姿勢と枕敷きマットの形状に短時間の不整合が発生する可能性が有る。それを避けるため空気供給ポンプ電源制御部４５においては、給排気制御部３０から受ける空気供給ポンプ５０に対する電源供給指示信号受けた時一定時間後に再度電源供給信号が有る事を確認した後に空気供給ポンプ５０に電源を供給する。
【００１７】
前記空気供給ポンプ５０の動作は、空気供給ポンプ電源制御部４５によりポンプに電源が供給される事により動作するが、その動作時間を予め定められた時間で終了して過剰な空気供給動作を防止するため、モータータイマーを空気供給動作前にリセットして動作に入りその後タイマーフルになると空気供給ポンプ５０に対する電源供給を停止する仕組みである。
【００１８】
図３において前記圧迫検知マット部２０は、枕７０を使用している人の使用状態において、その使用者の体の向きを識別するものである。圧迫検知チューブ２１には、１つの使用容積の例として圧迫検知チューブ２１が備える最大容積の６０％程度の容積を持つスポンジ状容積保持材２３を内部に組み込んでいて、このスポンジ状容積保持材２３の体積に等しい検知の空気を常に内包するように働き、圧迫検知の準備をしている。
【００１９】
図３において、圧迫検知マット部２０の上に横たわって枕７０を使用する人が背中・肩・脇腹・腕の部分で圧迫検知チューブ２１を圧迫する。
図５において、圧迫検知チューブ２１の両端を圧迫検知補正チューブ２２により接続して、圧迫検知チューブ２１内のどの位置でも均一の圧力となるよう補正している。
圧迫検知補正チューブ２２については圧迫検知チューブ２１内にバイパスするチューブを組み込むか又は他の方法で空間を作りで補正機能を持たせる事も可能である。
【００２０】
図５の圧迫検知マット部２０の構造及び材質は、就寝時に使用感や違和感を少なくするために、圧迫検知マット部２０全体が本マットの下に位置する敷き布団と調和しながら使用者の体になじみ柔らかく変形する。圧迫検知チューブ２１及び圧迫検知補正チューブ２２についても柔らかく変形しながら使用者の体に圧迫された時、機密性を保ちながら本来の圧迫検知機能を損なう事無く変形する材質で、使用者に対して使用感や違和感を少なくしている。
【００２１】
図５（ａ）において、圧迫検知チューブ２１の形状は、使用者の腕による圧迫を仰向け状態の背中と肩による圧迫と区別して腕による圧迫の影響を最小限に留めるため圧迫検知チューブ２１の太さすなわち容積を両端部では小さくして、逆に中央部には大きくして背中と肩による圧迫の効果を大きく反映する。また圧迫検知チューブ２１内の検知の空気量は、使用者による仰向けの圧迫が終了した時内包しているスポンジ状容積保持材２３が形状を復元しようとするため圧迫検知チューブ２１内が負の圧力となる事により、図７検出圧力空気量調整弁８２が開いて外部より空気を取り込み検出機能に必要な一定の空気を内包して安定する。
本説明では１つの例として使用者の姿勢の検知に圧迫検知チューブ２１を設けて検知の空気の移動により姿勢を識別しているが、例えばセンサーやスイッチなどの電気的検出方法等、他の手段を使って姿勢を識別しても良い。
【００２２】
図３（ｂ）のごとく使用者の姿勢が第２の状態すなわち仰向け状態なら、両肩と背中が圧迫検知チューブ２１を圧迫する事となり、圧迫される面積が第１の状態すなわち横向き状態に比較して広い範囲に及んでいるので、それに伴い圧迫された体積が大きく圧迫検知チューブ２１内の検知の空気が飽和して排出され、図８において検知の空気が圧迫検知ホース６１を介して給排気制御部３０の給排気バルブユニット３１に向けて送出される。以後この状態を第２の状態として表現する。
姿勢の検出において主要なポイントは、圧迫検知チューブ２１から飽和した検知の空気が発生する状況か否かの差である。検知の空気の飽和時点については００１８に一例として圧迫検知チューブ２１内の検知の空気量を最大容量に対して初期状態を６０％程度としてあるが使用者の体型により個人差が有る事は当然である。この個人差に対応して正しい検出ができるように、圧迫検知チューブ２１内に有る検知の空気の最大容量を簡易に変更する手段として図５の圧迫検知容量補助チューブ２４とこのチューブの有無効を設定するための圧迫検知容量補助チューブ開閉弁２５を備えて対応する。
【００２３】
図３（ａ）のごとく使用者が横向きすなわち第１の状態になれば、脇腹部分が圧迫検知チューブ２１を圧迫する事となり、仰向けすなわち第２の状態時に比較して圧迫の面積と体積は小さく、圧迫検知チューブ２１の許容容積内に収まり検知の空気は飽和せず給排気制御部３０へ向けて送り出される検知の空気は発生しない。以後この状態を第１の状態として表現する。
【００２４】
図８の給排気バルブユニット３１において、使用者の姿勢が仰向けすなわち第２の状態である事により圧迫検知チューブ２１より送出された検知の空気が圧迫検知ホース６１を経由して空気圧検知部４４に来てセンサー付き検出ピストン３２の排気動作側リミッター４９が当たるまで押し出す事により、図８の枕敷きマット給排気ホース６２には常時枕敷きマットの空気が来ており、センサー付き検出ピストン３２が動いた事によりピストンの排気穴３６が排気口３７と対応して排気経路が構成され排気が始まる。
この時検知の空気圧検出部４４の圧力値がどの程度になれば排出の必要な状態と捉えるのか図８のピストン押しスプリング圧力調整ねじ４１によって調整可能である。
また圧迫検知チューブ２１に何らかの理由で一定以上の圧迫により排出すべき検知の空気が発生した場合、空気圧検知部安全弁８５が開いて検知の空気を外部へ放出する事により圧迫検知チューブ２１の破損を防止しする。
【００２５】
前項で枕敷きマット部１０からの空気排出経路が構成されたので、図３（ｂ）において、頭の重さが枕７０を押し下げ、その圧力が枕敷きマット部１０に伝わり、枕敷きマット部１０内の空気は図８の給排気バルブユニット３１の排出口３７より排出され、その結果枕敷きマット部１０はしぼみ厚さが薄くなる。枕７０とそこに乗る使用者の頭は下がる。
敷きマット部１０内の空気の排出に要する時間は、使用者の使用状態により自然に排出される時間である。
【００２６】
使用者の姿勢が横向きすなわち第１の状態になった時、圧迫検知マット２０の圧迫検知チューブ２１からの飽和による検知の空気の送出は無く、図７において検知の空気圧検知部４４の圧力は無いか負の圧力となり給排気バルブユニット３１内のセンサー付き検出ピストン３２は、ピストン押しスプリング４０の圧力により押し出され検知の空気供給動作側リミッター４８が当たるまで移動する。
その状態で、センサー付き検出ピストン３２の一方に取り付けられているセンサーピストン部３３がセンサー検出部３４に検出され、使用者の姿勢が第１の状態すなわち横向き状態を識別し空気供給ポンプ５０に対し電源を供給する制御をする。図７においてセンサー検出部３４の取り付け位置を調整してセンサー付き検出ピストン３２の動きを正しく検出するためにセンサー取り付け位置アジャスター３９を設ける。
本説明では１つの例としてチューブ内から飽和して排出された検知の空気をセンサー付き検出ピストン３２の動きに変換して給排気の通路を構成する仕組みとを一体にして実現しているが、別の方法として圧迫検知機能とは別に給排気のバルブを使用して給排気の通路の開閉を独立した構成としても良い。
【００２７】
前項において枕敷きマット部１０に向けて空気供給が開始されると、空気供給ポンプ５０を出た空気は、図７において枕マット空気供給ホース５４を通り制御圧力調整部８０の枕敷きマット空気供給逆流防止弁８１を押し開けて通りセンサー付き検出ピストン３２内の空気供給穴３５を通り、枕敷きマット給排気ホース６２を通り枕敷きマット部１０へ入り膨張して厚くする。
枕敷きマット部１０に空気が充満して厚くなると、それに乗せられている枕７０が押し上げられその結果使用者の頭部を押し上げる。
これにより使用者は横向き状態の時に適した枕７０の高さを得る。
【００２８】
図７と図８において制御圧力調整部８０は、枕敷きマット空気逆流防止弁８１を有し、主として枕敷きマット部１０から空気供給ポンプ５０へ向かっての空気の逆流防止をする事と、検出圧力空気量調整弁８２を有し圧迫検知マット部２０が負の圧力になる時に外部より空気を吸入して空気を供給して、検出チューブ内の検知の空気量を一定に保つ。
その他、ほこりや異物が給排気制御部３０などに侵入しないように検知空気流入部フィルター４２とポンプ空気流入部フィルター４３を備えている。
【００２９】
図１を用いて本発明の全体構造と分解、収納及び折りたたみと可搬性について説明する。この枕７０を支持する自動厚さ可変枕敷きマットは、大きく３つのユニットに分解して持ち運ぶ事ができる。
その１番目は枕敷きマット部１０、２番目は圧迫検知マット部２０、３番目は制御部ホースコネクター６０で分離される給排気制御部３０と空気供給ポンプ５０部である。
枕敷きマット部１０と圧迫検知マット部２０は、予め折りたたみのできるように折り目を付けてあり持ち運びの容易性に配慮してある。従って自宅での使用に限らず、旅行や出張に持ってゆく事も比較的容易である。
【実施例】
【００３０】
本発明は１種類のサイズで老若男女の全てに対応するものではなく、少なくとも成人と子供、男性と女性、体重の重い人と軽い人などの要素でサイズや特性をそれぞれに対応するように、また一般的枕の規格サイズに合わせて複数種類の枕敷きマットを用意するようにしており、それぞれの使用者に応じた、より快適な睡眠を提供する事を念頭に置いている。
ここに１つのサイズの例で本発明の機能がどのように実現できたか測定値を示す。重要な要素は、仰向け状態と横向き状態の時の圧迫検知チューブ２１に対する圧迫によりそれぞれの体積又は飽和により排出される体積がどのような値を示すか、その値がどの程度の差を示して、姿勢の違いを識別できたかである。
圧迫検知チューブ２１内に幅６ｃｍ高さ２ｃｍ長さ６０ｃｍの矩形のスポンジ状容積保持材２３を入れ成人男性が使用した時、仰向けの時の排出体積は７６０立方ｃｍ、横向きの時の排出体積は５２０立方ｃｍであった。圧迫検知チューブ２１と圧迫検知チューブ両端部２８と検知補助チューブ２２と圧迫検知容量補助チューブ２４を合わせた全体の最大容積が１２５０立方ｃｍになっていて、待機状態では圧迫検知チューブ２１以外はほとんど検知の空気を内包していないので横向きの時は各チューブの余裕容積に吸収されて飽和による検知の空気は発生しないが、仰向けの時には約１１０立方ｃｍの飽和による排出空気が発生した。この事により００２２項に説明の動きが検証された。
各チューブを合わせた最大容積について１２５０立方ｃｍとしているのは通常使用時の圧迫により排出空気が発生する程度の圧力状態での容積を表していて、検知部全体にはそれ以上の圧力がかかっても耐えられるようにより以上の最大容積を備えている。そして破壊を防止するために空気圧検知部安全弁８５も備えている。
【符号の説明】
【００３１】
１０  枕敷きマット部                                   
１２  形状保持繊維材                                    
１４  枕敷きマット部連結器具
１５  縮小連結具
２０  圧迫検知マット部                 
２１  圧迫検知チューブ                
２２  圧迫検知補正チューブ             
２３  スポンジ状容積保持材                
２４  圧迫検知容量補助チューブ       
２５  圧迫検知容量補助チューブ開閉弁                
２６  敷き布団                    
２７  圧迫検知マット部連結器具
２８  圧迫検知チューブ両端部
２９  シーツ等
３０  給排気制御部
３１  給排気バルブユニット  
３２  センサー付き検出ピストン                     
３３  センサーピストン部                       
３４  センサー検出部                                  
３５  空気供給穴                                 
３６  排気穴                          
３７  排気口                            
３９  センサー取り付け位置アジャスター              
４０  ピストン押しスプリング              
４１  ピストン押しスプリング圧力調整ねじ 
４２  検知空気流入部フィルター              
４３  ポンプ空気流入部フィルター                      
４４  空気圧検知部
４５  空気供給ポンプ電源制御部 
４７  ポンプ電源コード
４８  空気供給動作側リミッター
４９  排気動作側リミッター
５０  空気供給ポンプ                               
５２  電源コード                               
５４  枕マット空気供給ホース            
６０  制御部ホースコネクター                          
６１  圧迫検知ホース                    
６２  枕敷きマット給排気ホース                     
７０  枕
８０  制御圧力調整部
８１  枕敷きマット空気供給逆流防止弁
８２  検出圧力空気量調整弁
８３   逆流防止弁バイアススプリング
８４   空気量調整弁バイアススプリング
８５  空気圧検知部安全弁
８６  空気圧検知部安全弁バイアススプリング
【図１】
2011045400.tif 000003
【図２】
2011045400.tif 000004
【図３】
2011045400.tif 000005
【図４】
2011045400.tif 000006
【図５】
2011045400.tif 000007
【図６】
2011045400.tif 000008
【図７】
2011045400.tif 000009
【図８】
2011045400.tif 000010